(57)【特許請求の範囲】
【請求項１】
音声通話とデータ通信とが可能な通信端末装置であって、
電話番号で指定される相手先との音声通話を行う通話手段と、
送信対象となるデータを任意に指定する指定手段と、
上記通話手段による音声通話の途中にあって、上記指定手段により送信対象となるデータが任意に指定された際は、その指定されたデータを一時記憶するデータ記憶手段と、
上記通話手段による音声通話の終了の際は、上記データ記憶手段に送信対象となるデータが記憶されているか否かを判別する判別手段と、
上記データの記憶があると判別された際は、上記データ記憶手段に記憶された送信対象となるデータを抽出し、その抽出されたデータを上記音声通話時の相手先の電話番号に対応するデータ送信先に対してデータ送信する送信手段と
を具備したことを特徴とする通信端末装置。
【請求項２】
画像を撮像する撮像手段を更に具備し、
上記指定手段は、上記撮像手段で画像を撮像した際に、その撮像された画像の画像データを送信対象とするか否かを任意に指定することを特徴とする請求項１記載の通信端末装置。
【請求項３】
コンピュータに、
電話番号で指定される相手先との音声通話を行う工程と、
送信対象となるデータを任意に指定する工程と、
上記音声通話の途中にあって、上記送信対象となるデータが任意に指定された際は、その指定されたデータを一時記憶する工程と、
上記音声通話の終了の際は、上記送信対象となるデータが記憶されているか否かを判別する工程と、
上記データの記憶があると判別された際は、上記送信対象となるデータを抽出し、その抽出されたデータを上記音声通話時の相手先の電話番号に対応するデータ送信先に対してデータ送信する工程と
を機能させるプログラムを記録したコンピュータが読み取り可能な記録媒体。
【発明の詳細な説明】
【０００１】
【発明の属する技術分野】
本発明は、音声通話とデータ通信とが可能な通信端末装置及びこの装置に適用される記録媒体に関する。
【０００２】
【従来の技術】
近時、ＰＨＳ（Ｐｅｒｓｏｎａｌ  Ｈａｎｄｙｐｈｏｎｅ  Ｓｙｓｔｅｍ：簡易型コードレス電話システム）端末機やデジタル携帯電話等の移動電話機においては、パーソナルコンピュータ等の情報処理装置を接続しない電話機単体でも、音声の通話のみならず、電子メール文書や手書きによる画像情報等を送受する機能を有するものが広く一般に普及している。
【０００３】
【発明が解決しようとする課題】
しかしながら、上記のような音声以外の情報の通信が可能な移動電話機はいずれも、音声による通話と音声以外の情報の通信とを通信の開始時に区別して実行するものであり、一回の通信の途中で音声通話と音声以外の情報の通信とを切換えることはできない。
【０００４】
そのため、例えば手書き画像の通信も可能な移動電話機で音声による通話を行なっている途中に、言葉だけでは説明しにくい事柄、例えば目的地までの道順などが話題に上がった場合、簡単な手書きの地図で説明できるような場合でも、一旦通話を終了してから画像の通信機能に切換えて地図を作成し、それから上記通話相手の電話番号を選択した上で再度通信を実行する、という一連の煩雑な操作が必要であり、気軽に種々の機能を使い分けることができないという不具合があった。
【０００５】
この発明の課題は、音声通話の途中で任意のデータが指定された際は、その指定されたデータを、その音声通話の終了後に確実にその相手先に対して送信できるようにすることである。
【０００６】
【課題を解決するための手段】
この発明は、音声通話とデータ通信とが可能な通信端末装置であって、電話番号で指定される相手先との音声通話を行う通話手段と、送信対象となるデータを任意に指定する指定手段と、上記通話手段による音声通話の途中にあって、上記指定手段により送信対象となるデータが任意に指定された際は、その指定されたデータを一時記憶するデータ記憶手段と、上記通話手段による音声通話の終了の際は、上記データ記憶手段に送信対象となるデータが記憶されているか否かを判別する判別手段と、上記データの記憶があると判別された際は、上記データ記憶手段に記憶された送信対象となるデータを抽出し、その抽出されたデータを上記音声通話時の相手先の電話番号に対応するデータ送信先に対してデータ送信する送信手段とを具備したことを特徴とする。
【００１６】
【発明の実施の形態】
以下本発明を撮像手段を有するＰＨＳ端末機に適用した場合の実施の一形態について図面を参照して説明する。
【００１７】
図１はその回路構成を示すもので、１１は光学レンズ系であり、この光学レンズ系１１の結像位置に撮像素子としてのＣＣＤ１２が配置されている。このＣＣＤ１２は、後述する制御部２０により制御駆動されて静止画像の撮影を行なうもので、得られたアナログ値の画像情報は画像処理部１３に送られる。
【００１８】
画像処理部１３は、この画像情報をデジタル化した後に所定の圧縮方式、例えばＪＰＥＧに基づいてデータ圧縮処理することで画像データのファイルとして出力する。
【００１９】
なお、上記光学レンズ系１１及びＣＣＤ１２は、固定的に配置することで、このＰＨＳ端末機本体を任意の方向に向けて撮影させるものとしてもよいし、回転機構内に配置することで、ＰＨＳ端末機は固定したままの状態で少なくとも１つの回転軸に沿った任意の回転方向に向けて撮影させるものとしてもよく、さらにはこの光学レンズ系１１及びＣＣＤ１２を有した撮像ユニットをケーブル接続した状態でＰＨＳ端末機から離脱させ、任意の方向に向けて撮影させるものとしてもよい。
【００２０】
また、１４はアンテナであり、このアンテナ１４に送受信部１５を接続している。この送受信部１５は周波数変換部とモデムで構成されるもので、周波数変換部の受信側では、アンテナ１４から入力された信号が送信／受信を振り分けるアンテナスイッチを介して入力され、ＰＬＬシンセサイザから出力される所定周波数の局部発振信号と混合することにより、１．９ＧＨｚ帯から１ＭＨｚ付近のＩＦ信号に周波数変換する。
【００２１】
一方、送信側では、モデムから入力されたπ／４シフトＱＰＳＫの変調波をＰＬＬシンセサイザから出力される所定周波数の局部発振信号と混合することにより１．９ＧＨｚ帯に周波数変換し、上記アンテナスイッチを介してアンテナ１４より輻射するようにしている。
【００２２】
また、モデムの受信側では、周波数変換部からのＩＦ信号が復調されＩＱデータに分離され、データ列になって通信制御部１６に転送するようにしている。一方、送信側では、通信制御部１６から転送されてきたデータからＩＱデータを生成し、π／４シフトＱＰＳＫに変調して周波数変換部に出力する。
【００２３】
そして、この送受信部１５に、通信制御部１６、音声処理部１７を順に接続し、この音声処理部１７に受話側のスピーカ１８及び送話側のマイクロフォン１９を接続している。
【００２４】
ここで、通信制御部１６はフレーム同期及びスロットのデータフォーマット処理を行なうもので、受信側では、送受信部１５のモデムから送られてくる受信データから所定タイミングで１スロット分のデータを取出し、このデータの中からユニークワード（同期信号）を抽出してフレーム同期をとり、且つ制御データ部と音声データ部または通信データ部のスクランブルなどを解除した後、制御データ及び通信データは後述する制御部２０に送り、音声データは音声処理部１７に転送する。
【００２５】
一方、送信側では、音声処理部１７から送られてくる音声データまたは制御部２０から送られてくる通信データに制御データなどを付加し、スクランブルなどをかけた後にユニークワードなどを付加して１スロット分の送信データを作成し、所定タイミングでフレーム内の所定スロットに挿入して送受信部１５のモデムに送出する。
【００２６】
音声処理部１７は、スピーチコーディック及びＰＣＭコーディックにより構成され、このうちスピーチコーディックは、デジタルデータの圧縮／伸長処理を行なうもので、受信側では、通信制御部１６から送られてきたＡＤＰＣＭ音声信号（４ビット×８ＫＨｚ＝３２Ｋｂｐｓ）をＰＣＭ音声信号（８ビット×８ＫＨｚ＝６４Ｋｂｐｓ）に復号化することにより伸長してＰＣＭコーディックに出力する。一方、送信側では、ＰＣＭコーディックから送られてきたＰＣＭ音声信号をＡＤＰＣＭ音声信号に符号化することにより圧縮して通信制御部１６に出力する。
【００２７】
また、ＰＣＭコーディックは、アナログ／デジタル変換処理を行なうもので、受信側では、スピーチコーディックから送られてくるＰＣＭ音声信号をＤ／Ａ変換してアナログ音声信号をスピーカ１８に出力する。一方、送信側では、マイクロフォン１９から入力されたアナログ音声信号をＡ／Ｄ変換してＰＣＭ音声信号を得、これをスピーチコーディックに出力する。
【００２８】
そして、上記ＣＣＤ１２及び画像処理部１３と、これら送受信部１５、通信制御部１６、及び音声処理部１７に対して制御部２０を接続し、この制御部２０に表示部２１、タッチパネル２２、キー入力部２３、ＲＡＭ２４、及び記録装置２５を接続している。
【００２９】
ここで制御部２０は、ＣＰＵ等で構成され、記録装置２５に装着された記録媒体２５ａに記録される所定のプロトコルに基づいてこの端末機全体を制御するもので、記録媒体２５ａがＣＣＤ１２及び画像処理部１３での静止画像の撮影の制御、通信時の制御や通話データの送受信、画像データファイルのメール文書への添付と送信を含む制御部２０での制御動作プログラム等を記録している。
【００３０】
なお、記録装置２５の有する記録媒体２５ａは、磁気的、光学的な記録媒体、あるいは半導体メモリで構成されている。この記録媒体２５ａは記録装置２５に固定的に設けたものでもよいし、着脱自在に装着するものとしてもよい。
【００３１】
また、記録媒体２５ａに記録するプログラム、データ等は、通信回線等を介して接続された他の機器から受信して記録する構成にしてもよく、さらに、通信回線等を介して接続された他の機器側に記録媒体２５ａを設け、この記録媒体２５ａに記憶されているプログラム、データ等を通信回線を介して使用する構成にしてもよい。
【００３２】
ＲＡＭ２４は、制御部２０での制御により取扱われる各種データを一時的に記憶するワークエリアの他に、図２に示すように受信したメールデータを所定数記憶する受信メールエリア２４ａ、未送信のデータファイルを格納しておく送信フォルダエリア２４ｂ、撮影により得た画像をスナップ画像等として保存しておくための画像保管エリア２４ｃ、及び送信先の名前と電話番号、メールアドレスを組にして登録する電話帳エリア２４ｄを有する。
【００３３】
図３は上記電話帳エリア２４ｄの具体的な記憶内容を例示するもので、ダイヤルの短縮番号毎に、名前、電話番号、フラグ（Ｆ）、及びメールアドレスを組にして登録している。フラグは、その相手がメールアドレスを有している場合に“１”となる。
【００３４】
表示部２１は、例えばバックライト付のドットマトリクスタイプ液晶表示パネルとその駆動回路とで構成される。
【００３５】
タッチパネル２２は、透明なフィルム状で、上記表示部２１上に一体にして構成されるものであって、使用者が手指あるいはここでは図示しない専用のスタイラスペンで表示画面位置に応じたタッチや筆記の操作を行なうことにより、操作された位置の座標データを制御部２０に送出することで、種々の文字や手書き画像の入力等を行なう。
【００３６】
キー入力部２３は、画像を撮影するためのシャッタキーの他に、ダイヤルキー、「通話」キー、「切」キー、モード選択キー、カーソルキー等を有するもので、その操作信号が制御部２０へ入力される。
【００３７】
次に上記実施の形態の動作について説明する。
【００３８】
図４は音声による通話時に実行される画像データファイルの取扱いに関する、主として制御部２０による処理内容を示すもので、その当初には通話に係る音声データの送受処理を実行しながら（ステップＳ０１）、キー入力部２３のシャッタキーが操作されたか否か（ステップＳ０２）、あるいは「切」キーの操作により通話が終了したか否か（ステップＳ０３）を繰返し判断することで、これらを待機する。
【００３９】
しかして、ステップＳ０２でキー入力部２３のシャッタキーによる操作があったと判断した場合には、その時点でＣＣＤ１２に結像している構造を取込ませて画像処理部１３に送ることで撮像処理を実行させる（ステップＳ０４）。
【００４０】
次いで、画像処理部１３でのデータ圧縮処理により得られた画像データファイルを保存するのかを選択させるためのガイドメッセージ、例えば
「撮影した画像を通話相手に送信しますか？
ＹＥＳ→１  ＮＯ→２」
を表示部２１に表示させ（ステップＳ０５）、その表示に対応して画像を送信するための操作がなされたか否かを判断する（ステップＳ０６）。
【００４１】
ここで、撮影した画像を通話相手に送信せず、自機内に保存するのみとする操作がなされた場合には、その画像データファイルをＲＡＭ２４の画像保管エリア２４ｃに記憶させ（ステップＳ０７）、それから上記ステップＳ０３からの処理に至る。
【００４２】
また、ステップＳ０６で撮影した画像を通話相手に送信するという操作がなされた場合には、その画像データファイルをＲＡＭ２４の送信フォルダエリア２４ｂに記憶させ（ステップＳ０８）、それから上記ステップＳ０３からの処理に至る。
【００４３】
しかして、ステップＳ０３で通話が終了したと判断すると、次に一旦回線を切断する処理を実行した後に（ステップＳ０９）、ＲＡＭ２４の送信フォルダエリア２４ｂに画素データファイルが記憶されているか否か、すなわち、上記通話中にキー入力部２３のシャッタキーの操作に対応して送信するための画像を撮影したか否かを判断する（ステップＳ１０）。
【００４４】
ここで、送信フォルダエリア２４ｂに画像データファイルが記憶されておらず、上記通話時に送信するための画像を撮影しなかったと判断した場合には、このままこの図４の処理を終了するが、送信フォルダエリア２４ｂに画像データファイルが記憶されていると判断した場合には、続けて上記通話の相手先の電話番号を基に電話帳エリア２４ｄを検索し（ステップＳ１１）、該当するメールアドレスが設定されているか否かを、そのフラグ（Ｆ）が“１”であるか否かにより判断する（ステップＳ１２）。
【００４５】
フラグが“０”であり、該当するメールアドレスが設定されていないと判断した場合には、撮影した画像データファイルを送信することができないために、その旨をガイドメッセージで、例えば
「通話相手のメールアドレスが設定されていないために、
撮影した画像を送信することができませんでした。」
のように表示部２１で表示させ（ステップＳ１３）、以上でこの図４の処理を終了する。
【００４６】
また、上記ステップＳ１２で検索した通話相手のフラグが“１”であり、該当するメールアドレスが設定されていると判断した場合には、送信フォルダエリア２４ｂに記憶している画像データファイルを、先程の通話途中で撮影した画像を送信する旨の所定のメール文書に添付して送信した上で（ステップＳ１４）、この送信処理が成功し、通話相手のメールサーバの上記メールアドレスに画像データファイルを添付したメール文書を通話相手に送信することができたか否かを確認する（ステップＳ１５）。
【００４７】
送信が成功しなかった場合には、送信を失敗した旨のガイドメッセージを、例えば
「撮影した画像の送信に失敗しました。
送信し直して下さい。」
のように表示部２１で表示して（ステップＳ１６）、一旦この図４の処理を終了する。
【００４８】
また、ステップＳ１５で送信が成功したと判断した場合には、送信が成功した旨のガイドメッセージを、例えば
「撮影した画像の送信に成功しました。」
のように表示部２１で表示し（ステップＳ１８）、併せてＲＡＭ２４の送信フォルダエリア２４ｂに記憶している画像データファイルを消去して（ステップＳ１８）、以上でこの図４の処理を終了する。
【００４９】
このように、音声による通話時に撮影した画像をデータファイル化し、通話後に連続して自動的に通話相手に送信することができるため、なんら煩雑な手間を要することなく、通話の内容に応じて相手の求める画像を簡単な撮像操作、すなわちシャッタキーのレリーズ操作のみで正確に送信することができる。
【００５０】
また、通話途中で得た比較的データ容量の大きな画像ファイルを、電子メールでメール文書に添付して相手のメールサーバに送信することとしたため、直接相手のＰＨＳ端末機にデータを送信する場合に比して相手側に負担をかけずに送信することができる。
【００５１】
なお、上記実施の形態では、通話途中で撮影した画像を送信する場合について説明したが、これに代えて通話途中でタッチパネル２２での筆記操作により入力された手書き画像を送信するものとしてもよい。この場合、送信すべき画像データの容量が比較的小さなものとなるので、上記実施の形態のように電子メールのメール文書に画像データファイルを添付するのではなく、通話相手のＰＨＳに直接架電し、その際のサブアドレス領域に画像データを重畳するようにすれば、メールアドレスが設定されていないなどといった自体が発生せず、確実に送信することができる上に、通信に要する料金を軽減することができ、送信する側の負担も避けながら、通話の内容により相手の求める例えば地図等の画像を簡単な筆記操作で送信することができる。
【００５２】
また、送信するデータは上記実施の形態のように画像データに限らず、テキストデータや音楽データ等であってもよい。
【００５３】
さらに、上記実施の形態は、ＰＨＳ端末機に適用した場合について述べたものであるが、本発明はこれに限らず、デジタル携帯電話やその他の通信機器でも同様に実現できる。
【００５４】
その他、本発明はその要旨を逸脱しない範囲内で種々変形して実施することが可能であるものとする。
【００５５】
【発明の効果】
本発明によれば、音声通話の途中であっても、その音声通話を中断することなく送信対象となるデータを適宜指定することができ、またその音声通話の途中で指定したデータについては、その音声通話の終了後にあって通話相手に対応するデータ送信先に対して確実にデータ送信することができる。
【図面の簡単な説明】
【図１】本発明の実施の一形態に係るＰＨＳ端末機の回路構成を示すブロック図。
【図２】図１のＲＡＭのエリア構成を示す図。
【図３】図２の電話帳エリアの記憶内容を例示する図。
【図４】同実施の形態に係る通話時からの処理内容を示すフローチャート。
【符号の説明】
１１…光学レンズ系
１２…ＣＣＤ
１３…画像処理部
１４…アンテナ
１５…送受信部
１６…通信制御部
１７…音声処理部
１８…スピーカ
１９…マイクロフォン
２０…制御部
２１…表示部
２２…タッチパネル
２３…キー入力部
２４…ＲＡＭ
２４ａ…受信メールエリア
２４ｂ…送信フォルダエリア
２４ｃ…画像保管エリア
２４ｄ…電話帳エリア
２５…記録装置
２５ａ…記録媒体
【図１】
0004199886.tif 000002
【図２】
0004199886.tif 000003
【図３】
0004199886.tif 000004
【図４】
0004199886.tif 000005